(57)【特許請求の範囲】
【請求項１】
一方の端部が回転可能に支持され、当該一方の端部を中心に回転することによりディスク挿入口に臨む第１の位置または筐体内のディスク収納部に臨む第２の位置に移動可能であり、かつディスクを搬送するための移送ローラを備えた移送ユニットと、ディスク収納部のディスクを回転可能なドライブユニットとを有するディスク装置であって、
前記移送ユニット上に搭載され、ディスクがあるか否かを検出する第１のディスク検出手段と、
前記移送ユニットが第１の位置にあるとき、第１のディスク検出手段によりディスクが検出されると、前記移送ローラを回転させるとともに前記移送ユニットを前記一方の端部を中心に回転させ、第１の位置から第２の位置へ向けて移動させることで前記ディスク収納部の選択されたトレイにディスクを搭載可能とする第１の移動手段と、
ディスク収納部の選択されたトレイにディスクが搭載されたか否かを検出する第２のディスク検出手段と、
第２のディスク検出手段によりディスクの搭載が検出されると、前記ドライブユニットによりディスクをチャックさせるチャッキング手段と、
ドライブユニットを介してディスクが回転するか否かによりチャッキングが正常に行われたか否かを確認する確認手段と、
前記確認手段によりチャッキングが正常と確認されたとき、前記移送ユニットを前記一方の端部を中心に回転させ、第２の位置から第１の位置に向けて移動させる第２の移動手段と、
前記第２の移動手段により前記移送ユニットを第１の位置に待機させた状態で、前記第１のディスク検出手段にディスクの有無を検出させ、ディスクが検出されない場合にはディスクの搬送が正常に行われたと判定し、ディスクが検出された場合にはディスクの搬送に異常があると判定する判定手段と、
を有するディスク装置。
【請求項２】
ディスク装置はさらに、前記判定手段によりディスク搬送が異常であると判定されたとき、移送ユニットにより一旦ディスクを排出させ、ディスクを再び搬送させる再搬送手段を含む、請求項１に記載のディスク装置。
【請求項３】
前記再搬送手段は、ディスクの再搬送が予め決められた回数に到達したとき、ディスクの再搬送を終了する、請求項２に記載のディスク装置。
【請求項４】
前記ドライブユニットは、前記筐体の側部に配置され、一方の端部が回転可能に支持されており、他方の端部には、スピンドルモータと当該スピンドルモータの回転軸に固定されたターンテーブルを含む回転駆動部が設けられ、
前記チャッキング手段は、筐体の側部に位置する前記ドライブユニットを前記一方の端部を中心に回転させ、前記回転駆動部により選択されたトレイに搭載されたディスクを回転させる、請求項１ないし３いずれか１つに記載のディスク装置。
【請求項５】
一方の端部が回転可能に支持され、当該一方の端部を中心に回転することによりディスク挿入口に臨む第１の位置または筐体内のディスク収納部に臨む第２の位置に移動可能であり、かつディスクを搬送するための移送ローラを備えた移送ユニットと、ディスク収納部のディスクを回転可能なドライブユニットとを有するディスク装置のディスクの搬送異常検出方法であって、
前記移送ユニットが第１の位置にあるとき、前記移送ユニットに設けられたディスク検出手段によりディスクの有無を検出する第１の検出ステップと、
第１の検出ステップによりディスクが検出されると、前記移送ローラを回転させるとともに前記移送ユニットを前記一方の端部を中心に回転させ、第１の位置から第２の位置へ向けて移動させる第１の移動ステップと、
ディスクをディスク収納部の選択されたトレイ上に搭載するステップと、
選択されたトレイ上にディスクが搭載されたか否かを検出する第２の検出ステップと、
第２の検出ステップによりディスクの搭載が検出されると、前記ドライブユニットによりディスクをチャッキングするステップと、
ドライブユニットを介してディスクが回転するか否かによりチャッキングが正常に行われたか否かを確認するステップと、
チャッキングが正常と確認されたとき、移送ユニットを前記一方の端部を中心に回転させ第２の位置から第１の位置へ移動させるステップと、
前記移送ユニットを第１の位置に待機させた状態で、前記ディスク検出手段によりディスクの有無を検出する第３の検出ステップと、
第３の検出ステップによりディスクが検出されない場合にはディスクの搬送が正常に行われたと判定し、ディスクが検出された場合にはディスクの搬送に異常があると判定するステップと、
を有する搬送異常検出方法。
【請求項６】
ディスクの搬送が異常と判定されたとき、移送ユニットによりディスクを排出するステップと、排出されたディスクを移送ユニットにより再搬送させるステップとを有する、請求項５に記載の搬送異常検出方法。
【請求項７】
ディスクの再搬送が予め決められた回数に到達したとき、ディスクの再搬送を停止し、搬送エラー処理するステップを有する、請求項６に記載の搬送異常検出方法。
【発明の詳細な説明】
【技術分野】
【０００１】
本発明は、ＣＤ（コンパクトディスク）やＤＶＤ（ディジタル・バーサタイル・ディスク）などのディスクの再生や記録を可能とするディスク装置に関し、特に、複数のディスクを収納可能なディスク装置のディスク搬送異常検出方法に関する。
【背景技術】
【０００２】
複数のディスクを収納することができる車載用チェンジャ型ディスク装置は、ディスク挿入口から挿入されたディスクを移送ユニットによって筐体内部へローディング（搬送）し、ロードされたディスクを、ディスクの厚さ方向に積層されたトレイ内に収納する。複数のトレイの中から選択されたディスクは、ドライブユニットによりチャッキングされ、その後、回転駆動されて、光ピックアップによりディスクに記録されたデータの読取りまたはディスクへの記録が行われる。
【０００３】
車載用ディスク装置の場合、これを取り付けるスペースは限られているため、できるだけ小型化されることが望ましい。こうした要求を応えるべく、特許文献１のディスク搬送装置は、図８に示すように、ディスクに接してディスクを搬送する搬送ローラ１２、１３と、搬送ローラ１２、１３を回転駆動するモータ１４と、搬送ローラ１２、１３の一端側を縦軸１６により回転可能に支持するとともに搬送ローラをディスクと平行な面内で揺動させる揺動支持部材１７と、搬送ローラの他端側に設けられた回転自走ローラ１８、１９と、回転自走ローラの自走を案内するガイド板２０と、回転自走ローラの自走位置を規制するガイド板の両端部に設けられたストッパピン２２、２３とを備えている。同一の駆動源および搬送ローラを用いて、ディスクの挿入および排出位置から再生位置までの搬送を可能にすることで、装置の小型化と省スペース化を図っている。
【０００４】
【特許文献１】特開２００１−１０１７４５号
【発明の開示】
【発明が解決しようとする課題】
【０００５】
しかしながら、従来のディスク装置には、次のような課題がある。図９は、ディスク装置の筐体内部に取り付けられたディスク収納部を示している。ディスク収納部３０は、ディスクをその厚さ方向に複数収納するための複数の板状のトレイ３２を含んでいる。各トレイ３２は、その端部を３箇所の不等ピッチスクリュー３４によって回転可能に保持されている。
【０００６】
図１０(ａ)は、不等ピッチスクリューを示す図である。不等ピッチスクリュー３４には、各トレイの支点と係合するらせん状の溝３６が形成されている。この溝３６には、１回転毎に各トレイの支点３８（図には６トレイ分のトレイ支点を○で示している）が係合され、スクリュー３４を正回または逆転することで、トレイ支点３８が溝３６内を摺動し、トレイが上昇、または下降するようになっている。また、不等ピッチスクリュー３４は、軸の上部側および下部側において１回転毎の溝ピッチ（間隔）が狭くなっており、一方、その中央部において間隔が広くなっている。中央部に位置されるトレイは、再生または書込みのために選択されるトレイであって、間隔を大きくすることで、トレイ下方にドライブユニットが進入するスペースを与えている。ドライブユニットは、ディスクのチャッキングやディスクを回転駆動する機能などを備えている。
【０００７】
図１０（ｂ）、（ｃ）は、不等ピッチスクリューの中央部の溝の拡大図である。中央部の溝３６ａには、一定領域からなる平坦部４０が形成されている。不等ピッチスクリュー３４が停止されたとき、図１０（ｂ）に示すように、平坦部４０にトレイ支点３８が停止するように設計されている。これは、選択されたトレイの高さを正規位置Ｐ１に保つためである。しかし、選択したトレイ支点３８が、平坦部４０のギリギリの所に位置してしまった場合、そこに振動等の外乱が加わると、図１０（ｃ）に示すように、トレイの支点３８が平坦部４０から滑り落ちてしまい、トレイの高さＰ２が正規位置Ｐ１に比べて低くなってしまう。
【０００８】
各トレイには、図１１に示すように、軸５２によって回転可能に支持されたトレイ爪５０が設けられている。ディスクが搬送中のとき、すなわち、ディスクがトレイに搭載されていないとき、トレイ爪５０の一方の端部５４がフォトセンサ５６内に位置し、図１１（ｂ）に示すように、発光素子５８からの光を遮光している。トレイ爪５０の他方の端部６０は、トレイ３０の境界Ｇから内方に向けて突出しており、ディスクがトレイに搭載されるとき、ディスク外縁が他方の端部６０を押し進め、トレイ爪５０が矢印Ｒの方向に回転する。これにより、一方の端部５４がフォトセンサ５６から外れ、発光素子５８からの光が受光素子６２に受光され、ディスク搬送の完了が検知される。
【０００９】
トレイ支点３８が溝３６ａの平坦部４０にある正常な状態では、ディスクが搭載されていなければ、フォトセンサ５６は遮光となっているが、上記したように振動等によりトレイ支点３８が溝３６ａの平坦部４０より落下した状態では、トレイ爪５０の一方の端部５４が低くなり、その結果、図１１（ｃ）に示すように、発光素子５８からの光が遮光されずに受光素子６２に到達してしまう。これにより、ディスクの搬送が完了していないにもかかわらず、ディスクの搬送が完了したとみなされてしまう。
【００１０】
また、不等ピッチスクリューの溝３６は、トレイ昇降の負荷とならないように、トレイ支点３８の大きさに対してある程度の余裕をもった大きさに形成されている。そのため、正常にトレイ支点３８が平坦部４０に位置していた場合でも、振動環境下ではバタつきが発生し、トレイ支点が平坦部から滑り落ちた場合と同じようにフォトセンサ５６で通光してしまう可能性がある。
【００１１】
上記のように、フォトセンサ５６が通光となった場合には、実際にはディスクがロードエンドに到達していなくても、ディスクの搬送完了とみなされ、ディスクのセンタリングができない状態であるにも関わらず、次動作であるチャッキング動作に移行し、チャッキングミスを引き起こしてしまう。
【００１２】
チャッキング処理は、ドライブユニットの一連の動作の延長上にあり、チャッキング完了は、ドライブユニットの機械的な位置変化でのみ判断している。すなわち、ドライブユニットが規定位置まで移動すれば、ディスクのチャッキング動作が完了したとみなされる。また、本当にディスクをチャッキングできたか否かを直接的に確認することができないため、メカ機構の位置関係から間接的に判断している。
【００１３】
チャッキング動作の完了後、正常にチャッキングが行われているかを確認するためにスピンドル回転によるチャッキング確認処理を行っている。スピンドルが回転しなければ、正常なチャッキングと判定され、回転すれば異常なチャッキングと判定される。しかし、上記のようなディスク搬送が正常に行われていない場合であっても、ディスクとスピンドルが圧着されていて負荷が高く、スピンドルが回転しなければ、この確認処理においても正常チャッキングと判定されてしまい、その結果、ディスクローディングの正常終了と認識してしまう。
【００１４】
ディスクローディング処理は完了とみなされても、チャッキングができていない以上、当然再生することができない。また、他のトレイへのディスクチェンジ動作をすることもできずに、エラーとなってしまう。さらに、ディスクのチャッキングを失敗している状態での再生動作時には、スピンドルのみが空転してしまうことになるため、ユーザーのディスクの記録面に傷をつけるおそれもある。さらに、チェンジャ型ディスク装置の場合には、チャッキングが正常にされていない状態でドライブユニットによりディスクを回転すると、支持をされていないディスクがトレイから落下したり、ディスクが傾斜し、その後の動作を続行できない重大な故障を招くおそれもあった。
【００１５】
そこで本発明は、上記従来の課題を解決し、ディスク搬送が正常に行われたか否かを確実に判定することができ、ローディングミス、チャッキングミス、ディスクの落下等を防止するディスク装置を提供することを目的とする。
【課題を解決するための手段】
【００１６】
本発明に係るディスク装置は、一方の端部が回転可能に支持され、当該一方の端部を中心に回転することによりディスク挿入口に臨む第１の位置または筐体内のディスク収納部に臨む第２の位置に移動可能であり、かつディスクを搬送するための移送ローラを備えた移送ユニットと、ディスク収納部のディスクを回転可能なドライブユニットとを有し、さらに、ディスク挿入口近傍にディスクがあるか否かを検出する第１のディスク検出手段と、移送ユニットが第１の位置にあるとき、第１のディスク検出手段によりディスクが検出されると、前記移送ローラを回転させるとともに移送ユニットを前記一方の端部を中心に回転させ、第１の位置から第２の位置へ向けて移動させる第１の移動手段と、ディスク収納部のトレイにディスクが搭載されたか否かを検出する第２のディスク検出手段と、第２のディスク検出手段によりディスクの搭載が検出されると、前記ドライブユニットによりディスクをチャックさせるチャッキング手段と、チャッキングの完了後に、第１のディスク検出手段の検出結果に基づき、ディスクの搬送が正常に行われたか否か判定する判定手段とを有する。
【００１７】
好ましくは、第１の検出手段は、移送ユニットに搭載されており、チャッキングの完了後に前記移送ユニットを第２の位置から第１の位置へ移動させる第２の移動手段を含む。判定手段は、チャッキングの完了後に第１の検出手段によりディスクが検出された場合には、ディスクの搬送に異常があると判定する。ディスク装置はさらに、判定手段によりディスク搬送が異常であると判定されたとき、移送ユニットにより一旦ディスクを排出させ、ディスクを再び搬送させる再搬送手段を含む。
【００１８】
さらに本発明に係るディスク装置のディスクの搬送異常検出方法は、ディスク挿入口近傍のディスクを検出する第１の検出ステップと、第１の検出ステップによりディスクが検出されると、前記移送ローラを回転させるとともに移送ユニットを前記一方の端部を中心に回転させ、第１の位置から第２の位置へ向けて移動させる第１の移動ステップと、ディスクをディスク収納部のトレイ上に搭載するステップと、トレイ上にディスクが搭載されたか否かを検出する第２の検出ステップと、第２の検出ステップによりディスクの搭載が検出されると、前記ドライブユニットによりディスクをチャッキングするステップと、チャッキングの完了後に、移送ユニットを第２の位置から第１の位置へ移動させ、ディスク挿入口近傍のディスクの有無を検出する第３の検出ステップと、第３の検出ステップによりディスクが検出されたとき、ディスクの搬送が異常であると判定するステップとを有する。
【００１９】
好ましくは、ディスクの搬送が異常と判定されたとき、移送ユニットによりディスクを排出するステップと、排出されたディスクを移送ユニットにより再搬送させるステップとを有する。また、ディスクの再搬送が予め決められた回数に到達したとき、ディスクの再搬送を停止し、搬送エラー処理するステップを有する。
【発明の効果】
【００２０】
本発明のディスク装置によれば、移送ユニットによりディスクを移送し、チャッキングを完了した後、ディスク挿入口近傍においてディスクの有無を検出するようにしたので、本来あるはずのないディスクが検出された場合には、ディスク搬送の異常を確実に判定することができる。そして、ディスク搬送に異常がると判定された場合には、ディスクを一旦排出させ、再度ディスクのローディングをやり直すことで、ディスク搬送の異常からの復帰を図ることができる。
【発明を実施するための最良の形態】
【００２１】
以下、本発明の最良の実施の形態について図面を参照して詳細に説明する。
【実施例】
【００２２】
図１は、本発明の実施例に係るディスク装置の内部を示す平面図であり、ディスク装置の筐体の下面を取り除いた状態を示している。本実施例のディスク装置は、車載用のインダッシュタイプのディスク収納型であり、筐体は、いわゆる１ＤＩＮまたは２ＤＩＮサイズを有する。ディスク装置１００は、ディスクの移送を行う移送ユニット２００、ディスクのチャッキングおよび回転駆動等を行うドライブユニット３００、および複数のディスクを収納するディスク収納部３０を筐体内に含んでいる。
【００２３】
筐体の前面１０２には、幅Ｗのスリット状のディスク挿入口１０４が形成されている。好ましくは、ディスク挿入口１０４をシャッターにより開閉する。ディスク挿入口１０４の近傍に、移送ユニット２００が配置されている。移送ユニット２００は、その一方の端部が軸２０２により回動自在に支持され、軸２０２を中心に移送ユニットが回転されると、その他方の端部が円弧状の軌跡を描くように移動する。
【００２４】
図２は、移送ユニットの詳細を示す斜視図である。移送ユニット２００の一方の端部には、軸２０２と複数の歯車列２１０が取り付けられている。歯車列２１０は、図示しない駆動モータに結合され、歯車列２１０の１つの歯車がローラ軸２１２に結合されている。このローラ軸２１２の両端には、一対の移送ローラ２１４が取り付けられている。移送ローラ２１４と一定の間隙が生じるように摺動部材２１６が設けられている。この間隙は、ディスク挿入口１０４と一致し、ディスク挿入口１０４から挿入されたディスク、あるいはディスク挿入口１０４へ排出されるディスクは、摺動部材２１６と移送ローラ２１４に挟持されながら移送ローラ２１４によって搬送される。また、移送ユニット２００には、図１に示すように、２組の挿入口フォトセンサ２２０、２２２が設けられている。挿入口フォトセンサ２２０、２２２は、発光素子と受光素子を含み、発光素子と受光素子が、移送ローラ２１４と摺動部材２１６の間隙を跨ぐように配置されている。この間隙、あるいはディスク挿入口１０４にディスクが存在するとき、発光素子から受光素子への光がディスクによって遮光され、ディスクが検出される。
【００２５】
移送ユニット２００は、ディスクの挿入を待機しているとき、あるいはディスクの搬送を完了しディスクの再生が行われるとき、図１に示すように、ディスク挿入口１０４に臨む位置、言い換えれば、ディスク挿入口１０４と並行となる位置にある。ディスクをディスク収納部３０へ搬送するとき、移送ユニット２００は、図３に示すように、一方の端部の軸２０２を中心に回転し、選択されたトレイにディスクを搭載することができる位置まで移動される。なお、ディスクの搬送時には、移送ローラ２１４も回転される。
【００２６】
ドライブユニット３００は、図１に示すように、筐体の側部に配置されている。ドライブユニット３００は、細長いベース３０２を含み、その一方の端部が軸３０４により回転自在に支持されている。ベース３０２の他方の端部には、回転駆動部が設けられている。回転駆動部は、ベース３０２に支持されたスピンドルモータと、スピンドルモータの回転軸３０６に固定されたターンテーブル３０８とを有している。また、図１には示されないが、ベース３０２には、光学ヘッドが設けられている。ドライブユニット３００は、ディスクの再生または書込みを行わないとき、図１に示すように退避位置にあるが、ディスクの再生または書込みを行うとき、図３または図４に示すように、軸３０４を中心に回転し、ターンテーブル３０８によりディスクＤをチャックし、またはディスクＤを回転させる。
【００２７】
ディスク収納部３０は、図１および図９に示すように、扇状の複数のトレイ３２を含んでいる。各トレイ３２は、外縁部の３箇所において不等ピッチスクリュー３４によって回転可能に支持されている。各トレイ３０には、従来技術で説明したように、トレイ爪５０（図１１を参照）が設けられており、ディスクがトレイに搭載されたとき、ディスクの外縁がトレイ爪５０を回転させ、これがフォトセンサ５６によって検出されるようになっている。各トレイ３２は、不等ピッチスクリュー３４を回転させることで、上昇または下降され、中央部分のスクリュー溝３６ａの間隔が大きく、そこでのトレイは、隣接する下方のトレイから大きく離れ、そのスペースにドライブユニット３００を進入させることができる。
【００２８】
図４は、ディスクの再生または書込みが行われているときの各部の位置を示している。移送ユニット２００は、ディスクの搬送を終了すると、ディスク挿入口１０４に臨む元の位置に戻る。ドライブユニット３００は、ディスクをチャックした後、その位置から下降し、ディスクをダンパーフリーな状態で回転する。
【００２９】
図５は、オーディオ装置の各部を制御するための構成を示すブロック図である。制御部５００は、例えばマイクロコンピュータから構成され、ＲＡＭ／ＲＯＭ等のメモリに制御シーケンス用のソフトウエアを格納し、当該ソフトウエアに従い各部の動作を制御する。制御部５００は、挿入口フォトセンサ２２０、２２２、およびトレイ爪検出用のフォトセンサ５６の検出結果、およびユーザからの入力を受け取る入力部５４０の出力に応答して、モータ５１０、５２０、５３０に対して駆動制御信号を出力する。モータ５１０は、移送ユニット２００の回転および移送ローラ２１４を回転する。モータ５２０は、軸３０４を中心にしたドライブユニット３００の回転、ドライブユニット３００の上下動、スピンドルモータの回転などを行う。モータ５３０は、ディスク収納部３０の不等ピッチスクリュー３４を回転する。
【００３０】
次に、本実施例のディスク装置におけるディスクローディング動作を図６のフローチャートを参照して説明する。始めに、ディスク装置１００は、ローディングの待機状態にある（ステップＳ１０１）。このとき、移送ユニット２００は、図１に示すように、ディスク挿入口１０４に臨む位置にある。入力部５４０からディスク挿入の指示があると、シャッターが開き、ディスク挿入口１０４が露出される。ディスク挿入口１０４からディスクが挿入されると、ディスクの外縁が移送ユニットの移送ローラ２１４と摺動部材２１６の間隙に到達し、挿入口フォトセンサ２２０、２２２のいずれかによりディスクが検出され、この検出結果が制御部５００へ出力される。制御部５００は、これに応答して、移送ユニット２００の移送ローラ２１４の回転を開始させる（ステップＳ１０２）。この時点からディスクの搬送処理が開始される。
【００３１】
搬送処理が開始されると、制御部５００は、移送ユニット２００を軸２０２を中心に回転を開始させ、移送ユニット２００をディスク収納部３０に臨む位置まで回転させる。移送ユニット２００により搬送されたディスクは、ディスク収納部３０の中央部に位置するトレイ３２に搭載される。ディスクの外縁がトレイ爪５０を回転させると、フォトセンサ５６が遮光状態となり、ディスク搬送の完了が検知される。これに応答して、制御部５００は、移送ローラ２１４の回転を停止させる。
【００３２】
次に、制御部５００は、チャッキング処理を行う（ステップＳ１０３）。制御部５００は、ドライブユニット３００を軸３０４を中心に回転させ、ドライブユニット３００のターンテーブル３０８を位置決めし、次いで、ドライブユニット３００を上昇させる。これにより、ターンテーブル３０８がディスク中央の孔内に挿入され、チャッキングが行われる。
【００３３】
次に、制御部５００は、チャッキングの確認処理を行う（ステップＳ１０４）。チャッキングの確認は、図７に示すフローによって行われる。ドライブユニット３００によるチャッキングが行われると（ステップＳ２０１）、図示しないチャッキングスイッチの検出が行われる（ステップＳ２０２）。スイッチが検出されると、制御部５００は、チャッキングが完了したとみなし、次に、スピンドルモータを駆動し、ディスクを回転させる（ステップＳ２０３）。この回転は、約１００ｍｓ行われ（ステップＳ２０４）、スピンドルモータが停止される（ステップＳ２０５）。制御部５００は、スピンドルモータの回転数の指標であるＦＧ値を検出する（ステップＳ２０６）。ディスクをチャッキングするとき、ディスクは図示しない押圧部材に挟持される構成であるため、正常なチャッキングであれば、圧着負荷によりスピンドルモータが回転せず、ＦＧ値は検出されない。従って、ＦＧ値が検出されなければ、制御部５００は、正常チャッキングとみなす（ステップＳ２０７）。一方、ＦＧ値が検出されれば、チャッキング異常とみなす（ステップＳ２０８）。
【００３４】
以上のチャッキング確認処理により、チャッキングが正常と判定されると、制御部５００は、移送ユニット２００を回転させ、移送ユニットを元の位置、すなわちディスク挿入口１０４に臨む位置に戻す（ステップＳ１０５）。一方、チャッキングが異常と判定した場合には、制御部５００は、異形ディスクとみなし、ディスクの排出処理を行う（ステップＳ１０６）。
【００３５】
次に、制御部５００は、元の位置に戻された移送ユニット２００の挿入口フォトセンサ２２０、２２２によりディスクの有無を検出する（ステップＳ１０７）。挿入口フォトセンサ２２０、２２２のいずれもがディスクを検出しない場合には、制御部５００は、ディスクローディングが正常に行われたと判定し、ディスク挿入口１０４のシャッターを閉じ（ステップＳ１０８）、次いで、ドライブユニット３００をチャッキングした位置から下降させ、ディスクをフリーの状態にて回転させ、ディスクを再生可能な状態におく（ステップＳ１０９）。
【００３６】
一方、挿入口フォトセンサ２２０、２２２のいずれかがディスクを検出した場合には、制御部５００は、搬送異常と判定する。すなわち、ディスクがトレイに完全に搭載されていれば、ディスクがディスク挿入口近傍に位置することはない。このような事態は、振動等の外乱が生じたときに、トレイ支点が不等ピッチスクリューの溝３６ａの平坦部４０から落下し、フォトセンサ５６が誤って通光状態になり、ローディング中、またはローディングが成功していないのに、ディスクのローディングを完了とみなしたときに生じる。
【００３７】
ローディング異常と判定した場合、制御部５００は、ディスクの排出処理を実行する（ステップＳ１１０）。制御部５００は、移送ユニット２００の移送ローラ２１４を回転させ、ディスク挿入口１０４に差し掛かっているディスクをイジェクトする。次に、制御部５００は、ローディングのリトライ回数をチェックし、予め決められたリトライ回数に到達していない場合には、再度、排出されたディスクの再搬送処理を開始する（ステップＳ１０２）。一方、リトライ回数に到達していれば、ローディングエラーとして搬送を終了させる。なお、リトライ回数は、例えば、ディスクをローディングするたびに、内部カウンタに「１」を加算し、加算結果をレジスタ等に保持しておくことができる。
【００３８】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３９】
上記実施例では、ディスク収納型のディスク装置を例示したが、必ずしも収納型である必要はない。また、挿入口フォトセンサを移送ユニットに設ける例を示したが、挿入口フォトセンサを筐体に設けるものであってもよい。上記例では、挿入口フォトセンサを２つ用いたが、単一のものであってもよい。さらに、トレイに搭載されたディスクの検出機構は、必ずしもトレイ爪とフォトセンサの組合せに限るものではない。
【産業上の利用可能性】
【００４０】
本発明は、ＣＤ、ＤＶＤ等のディスクに記録されたデータを再生したり、あるいはそこにデータを書き込むことができるディスク装置において利用され、特に、車載用のオーディオ・ビデオ装置において利用される。
【図面の簡単な説明】
【００４１】
【図１】本発明の実施例に係るディスク装置の内部構成を示す平面図である。
【図２】移送ユニットの詳細を示す部分斜視図である。
【図３】移送ユニットがディスク収納部へ向けて回転した状態を示す図である。
【図４】ドライブユニットがディスクを回転駆動するときの状態を示す図である。
【図５】ディスク装置の各部を制御するための構成を示すブロック図である。
【図６】ディスク装置のディスクローディングの動作を示すフローチャートである。
【図７】ディスクチャックの確認する動作を示すフローチャートである。
【図８】従来のディスク装置を示す平面図である。
【図９】ディスク装置のディス収納部を示す斜視図である。
【図１０】不等ピッチスクリューを示す図である。
【図１１】トレイ爪の動作を説明する図である。
【符号の説明】
【００４２】
３０：ディスク収納部                ３２：トレイ
３４：不等ピッチスクリュー          ３６：溝
３８：トレイ支点                    ４０：平坦部
５０：トレイ爪                      ５２：軸
５４：一方の端部                    ５６：フォトセンサ
５８：発光素子                      ６０：他方の端部
６２：受光素子                      １００：ディスク装置
１０２：筐体の前面                  １０４：ディスク挿入口
２００：移送ユニット                ２０２：軸
２１０：歯車列                      ２１２：ローラ軸
２１４：移送ローラ                  ２１６：摺動部材
２２０、２２２：挿入口フォトセンサ  ３００：ドライブユニット
３０２：ベース                      ３０４：軸
３０６：回転軸                      ３０８：ターンテーブル
Ｄ：ディスク
【図１】
0004553205.tif 000002
【図２】
0004553205.tif 000003
【図３】
0004553205.tif 000004
【図４】
0004553205.tif 000005
【図５】
0004553205.tif 000006
【図６】
0004553205.tif 000007
【図７】
0004553205.tif 000008
【図８】
0004553205.tif 000009
【図９】
0004553205.tif 000010
【図１０】
0004553205.tif 000011
【図１１】
0004553205.tif 000012